(57)【要約】【課題】  シートベルトの着用と飲酒運転の防止に役立つ乗り物用シートベルトを提供する。【解決手段】  アルコール検知機能付きの乗り物用シートベルトは、着用時の外面となるシートベルトの表面の一部が夜間に目立つ蛍光面とされている。しかも、シートベルトにアルコール検出センサが取り付けられている。アルコール検出センサは運転者の息の中のアルコール成分を検出し、アルコール検出信号を出力する。シートベルト本体にはアルコール警告表示手段が取り付けられ、アルコール検出センサからアルコール検出信号が出力されると、蛍光面を点滅させて運転者が酒気を帯びていることを警告表示する。【選択図】図１
2008080985.tif 000002
【特許請求の範囲】
【請求項１】
アルコール検知機能付きの乗り物用シートベルトであって、シートベルト本体に取り付けられたアルコール検出センサと、該アルコール検出センサのアルコール検出信号に基づいてアルコールの検出を警告表示する前記シートベルト本体に取り付けられたアルコール警告表示手段とを備えたことを特徴とするアルコール検知機能付きの乗り物用シートベルト。
【請求項２】
着用時の外面となる表面の一部を夜間に目立つ蛍光面としたアルコール検知機能付きの乗り物用シートベルトであって、シートベルト本体に取り付けられたアルコール検出センサと、前記アルコール検出センサのアルコール検出信号に基づいてアルコールの検出を警告表示する前記シートベルト本体に取り付けられたアルコール警告表示手段とを備えたことを特徴とするアルコール検知機能付きの乗り物用シートベルト。
【請求項３】
前記アルコール検出センサを、シートベルト着用時運転者の口元の近傍に位置するように前記シートベルト本体に取り付けたことを特徴とする請求項１又は２に記載のアルコール検知機能付きの乗り物用シートベルト。
【請求項４】
前記アルコール検出センサを、前記シートベルト本体にスライド自在に取り付け、シートベルト着用時、前記アルコール検出センサを運転者の口元の近傍に移動可能としたことを特徴とする請求項１又は２に記載のアルコール検知機能付きの乗り物用シートベルト。
【請求項５】
前記アルコール警告表示手段は、前記シートベルト本体に固設された発光体と、前記アルコール検出センサと電気的に接続する前記シートベルト本体に固設された発光体制御部とから構成され、前記アルコール検出センサの検出信号に基づいて前記発光体制御部が前記発光体を点灯制御するようにしたことを特徴とする請求項１又は２に記載のアルコール検知機能付きの乗り物用シートベルト。
【請求項６】
前記アルコール警告表示手段は、前記アルコール検出センサと電気的に接続し前記シートベルト本体に取り付けられたブザーにより構成し、前記アルコール検出センサの検出信号に基づいて前記ブザーが警告音を発生するようにしたことを特徴とする請求項１又は２に記載のアルコール検知機能付きの乗り物用シートベルト。
【請求項７】
前記発光体制御部が、前記アルコール検出センサの検出信号に基づいて前記発光体を点滅制御するようにしたことを特徴とする請求項５に記載のアルコール検知機能付きの乗り物用シートベルト。
【請求項８】
前記シートベルト本体に前記アルコール検出センサの取り外しを検出するケース脱着検出回路を設け、前記シートベルト本体から前記アルコール検出センサが取り外されると前記ケース脱着検出回路の出力に基づいて警告表示を行うようにしたことを特徴とする請求項１又は２に記載のアルコール検知機能付きの乗り物用シートベルト。
【請求項９】
前記シートベルト本体から前記アルコール検出センサが取り外されたことを、前記発光体を点灯または点滅表示させることで警告表示するようにしたことを特徴とする請求項８に記載のアルコール検知機能付きの乗り物用シートベルト。
【請求項１０】
前記シートベルト本体から前記アルコール検出センサが取り外されたことを、ブザーを鳴らすことで警告表示するようにしたことを特徴とする請求項８に記載のアルコール検知機能付きの乗り物用シートベルト。
【発明の詳細な説明】
【技術分野】
【０００１】
本発明は、アルコール検知機能付きの乗り物用シートベルトに関する。
【背景技術】
【０００２】
従来、車両の夜間走行においても、外部からその着用が認識できるシートベルトとして、シートベルト着用時に外面となる部分を発光性あるいは光反射塗料などを塗布したものが知られている（例えば特許文献１参照）。
【特許文献１】特開平１０−１１９７１７号公報
【発明の開示】
【発明が解決しようとする課題】
【０００３】
本発明は、シートベルトにアルコール検知機能を持たせ、運転者の息からアルコールを検知すると、シートベルトに設けた発光体を点灯しあるいはシートベルトの蛍光面を更に発光させあるいは点滅させてアルコール検知を警告表示し、運転者の交通安全意識を更に向上させることを目的とするものである。
また本発明は、シートベルトに発光又は光反射性を持たせることで、夜間にあって車外から乗員のシートベルトの着用の有無が容易に判別できるようにして、運転者の運転時の交通安全意識の向上を図ることを目的とする。
【課題を解決するための手段】
【０００４】
上記目的を達成するため、本発明は、アルコール検知機能付きの乗り物用シートベルトであって、シートベルト本体に取り付けられたアルコール検出センサと、前記アルコール検出センサのアルコール検出信号に基づいてアルコールの検出を警告表示する前記シートベルト本体に取り付けられたアルコール警告表示手段とを備えたものである。
【０００５】
また本発明は、着用時の外面となる表面の一部を夜間に目立つ蛍光面としたアルコール検知機能付きの乗り物用シートベルトであって、シートベルト本体に取り付けられたアルコール検出センサと、前記アルコール検出センサのアルコール検出信号に基づいてアルコールの検出を警告表示する前記シートベルト本体に取り付けられたアルコール警告表示手段とを備えたものである。
【０００６】
また本発明は、前記アルコール検出センサを、シートベルト着用時運転者の口元の近傍に位置するように前記シートベルト本体に取り付けたものである。
【０００７】
また本発明は、前記アルコール検出センサを、前記シートベルト本体にスライド自在に取り付け、シートベルト着用時、前記アルコール検出センサを運転者の口元の近傍に移動可能としたものである。
【０００８】
また本発明は、前記アルコール警告表示手段は、前記シートベルト本体に固設された発光体と、前記アルコール検出センサと電気的に接続する前記シートベルト本体に固設された発光体制御部とから構成され、前記アルコール検出センサの検出信号に基づいて前記発光体制御部が前記発光体を点灯制御するようにしたものである。
【０００９】
また本発明は、前記アルコール警告表示手段は、前記アルコール検出センサと電気的に接続し前記シートベルト本体に取り付けられたブザーにより構成し、前記アルコール検出センサの検出信号に基づいて前記ブザーが警告音を発生するようにしたものである。
【００１０】
また本発明は、前記発光体制御部が、前記アルコール検出センサの検出信号に基づいて前記発光体を点滅制御するようにしたものである。
【００１１】
また本発明は、前記シートベルト本体に前記アルコール検出センサの取り外しを検出するケース脱着検出回路を設け、前記シートベルト本体から前記アルコール検出センサが取り外されると前記ケース脱着検出回路の出力に基づいて警告表示を行うようにしたものである。
【００１２】
また本発明は、前記シートベルト本体から前記アルコール検出センサが取り外されたことを、前記発光体を点灯または点滅表示させることで警告表示するようにしたものである。
【００１３】
また本発明は、前記シートベルト本体から前記アルコール検出センサが取り外されたことを、ブザーを鳴らすことで警告表示するようにしたものである。
【発明の効果】
【００１４】
本発明は、アルコール検出センサが運転者の飲酒を検出するとシートベルトがこれを警告表示するので飲酒運転を抑制することができる。また、夜間でもシートベルトの蛍光面によって車外から運転者がシートベルトを着用しているか否かを容易に確認できるので、運転者が確実にシートベルトを着用するようになり運転マナーの向上に寄与できる。
【発明を実施するための最良の形態】
【００１５】
以下に本発明の実施の形態を添付した図面を参照して詳細に説明する。
図４は本発明に係るシートベルト２を車両４の前座席の運転者が着装した状態を示す。この図のように、運転者がシートベルト２を着装すると、丁度、シートベルト２に装着されたアルコール検出センサ６が、運転者の口元の近傍に位置するように構成されている。
【００１６】
このアルコール検出センサ付きシートベルト２は、図２に示すように、シートベルト本体８の表面に、フレキシブルな基板に配線された薄膜発光体１０が接着されている。前記薄膜発光体１０の表面には、任意の色に発光する蛍光塗料が塗着された蛍光膜層１４によって蛍光面を形成している。この蛍光面の上面には、薄板状の小型太陽電池１６が接着されている。また、前記太陽電池１６の下面には、前記発光体１０を制御駆動するＩＣチップ状の発光体制御部１２が接着配置されている。
【００１７】
前記発光体制御部１２と発光体１０はシートベルト２に内蔵されたリード線を介して電気的に接続している。前記蛍光膜層１４の表面及び太陽電池１６の表面上には透明な合成樹脂テープなどのカバーが貼着され、前記蛍光膜層１４の表面及び太陽電池１６の上に保護膜を形成している。アルコール検出センサ６は、そのケースが適宜な装着手段により、前記発光体制御部１２に隣接して、シートベルト２に固定されている。
【００１８】
前記アルコール検出センサ６は、図３に示すように、ケース内に、ＩＣチップ状のアルコール検出センサ回路部２０が内蔵されている。このアルコール検出センサ回路部２０は、運転者の息をケースの検知口２２から取り込み、運転者が飲酒をしていると、息の中のアルコール成分を検出し、アルコール検出信号を、ケースに設けた出力端子３１に出力するように構成されている。
【００１９】
アルコール検出センサ回路部２０の電源は、電池２６から供給され、この電池２６は、アルコール検出センサ６のケースに設けられた電池収納部２８に交換可能に収納されている。前記電池収納部２８の接点には、電池切れ検出回路３０が接続し、該回路３０が電池切れや電池無しを検出すると、この検出信号をアルコール検出センサ６のケースに内蔵した出力端子３５に出力するように構成されている。
【００２０】
前記電池切れ検出回路３０は、アルコール検出センサ６のケースの表面に固設された薄板状の太陽電池３２から電源が供給されるように構成されている。前記シートベルト２には、電気接点ａ，ｂから成るスイッチＳが設けられ、該スイッチＳの接点ａ，ｂには、アルコール検出センサ６のケースに固設された導電片３４が当接されている。アルコール検出センサ６のケースがシートベルト２に装着されているときは、導電片３４が前記電気接点ａ，ｂ間に接触しているためスイッチＳはＯＮの状態となっており、該ケースをシートベルト２から外すと電気接点ａ，ｂから導電片３４が外れ、オフの状態となるように設定されている。
【００２１】
前記スイッチＳのオンオフ信号は、リード線を通じてケース脱着検出回路３６に供給され、該回路３６は、スイッチＳがオフとなると、発光体制御回路３８にケース非装着信号を出力するように構成されている。前記発光体制御回路３８は、シートベルト２に装着された薄板状の太陽電池１６に接続し、これから電源が供給されるように構成されている。前記発光体制御回路３８には、電池切れ信号受信回路４０とセンサ信号受信回路４２が接続している。前記電池切れ信号受信回路４０は、入力接点３７に接続し、前記センサ信号受信回路４２は入力接点３３に接続している。
【００２２】
前記接点３５と３７及び３１と３３は、それぞれシートベルト２に埋設されたリード線を通じて、図３に示すように、接続している。前記発光体制御回路３８は、ケース脱着検出回路３６又は電池切れ信号受信回路４０又はセンサ信号受信回路４２から、ケース非装着信号又は、電池切れ信号又はアルコール検出信号を受け取ると、薄膜発光体１０を所定時間、点滅制御するように構成されている。前記薄膜発光体１０は、本実施形態では、フレキシブルな透明基板に対して並列に配設された陽極に対し直交して並列に配設された複数の陰極との交差部に挟持された有機発光層がマトリックス状に複数の画素を形成した構成を有している。
【００２３】
この薄膜発光体１０は、上記の構成のもの以外に種々の公知の発光体を使用することができ、本発明は、上記構成の発光体１０に特に限定されるものではない。
上記した構成において、蛍光体が付着されたシートベルト２は、夜間にあって車外から運転者のシートベルト２の着用の有無が容易に判別でき、これにより、運転者の運転時の交通安全意識の向上が図れる。また、運転者がシートベルト２を身体に掛けると、丁度運転者の口元の近傍にシートベルト２に装着されたアルコール検出センサ６が配置されるので、運転者が酒気を帯びていると、運転者の息からアルコール検出センサ回路部２０によって検出される。
【００２４】
アルコール検出センサ回路部２０がアルコールを検出すると、出力端子３１にアルコール検出信号が送られ、この信号は、出力端子３１から、発光体制御部１２側の入力端子３３を経て、センサ信号受信回路４２に受信される。センサ信号受信回路４２は、アルコール検出信号を受信すると、発光体制御回路３８に受信信号を出力する。発光体制御回路３８は、アルコール検出信号を受信すると、薄膜発光体１０を点灯駆動し、これを点滅させる。シートベルト２の表面の蛍光面が、その下側の薄膜発光体１０の光の点滅により、点滅し、この蛍光面の点滅によって、運転者は、自分の息からアルコールが検出されたことを認識できる。
【００２５】
また、車外からも、シートベルト２の蛍光面が薄膜発光体１０の点滅により点滅することで、運転者が酒気を帯びていることを容易に確認することができる。シートベルト２の蛍光面の点滅は、酒気帯び運転に対して警告表示するものであるが、アルコール検出の警告表示は、このシートベルトの蛍光面の点滅以外に単に発光体を点灯させるだけでも良い。発光体１０の光で更に蛍光面の輝度を上げることでシートベルト２にアルコール検出を警告表示できる。
【００２６】
また、シートベルト２の蛍光面と発光体１０を同一平面上に並列配置し、蛍光面の横で任意に着色したあるいは無着色の発光体１０を発光させることで、アルコールの検出の警告表示を行うことができる。また、シートベルトにブザーを取り付け該ブザーによって警告音を発したりすること等が可能であり、本発明の実施に際しては、警告表示として、発光体１０を点滅させる構成に特に限定されるものではなく、また発光体１０を蛍光面の下側に配置する構成に特に限定されるものではない。
【００２７】
シートベルト装着時、アルコール検出センサ６が機能しないように、運転者が意図的にアルコール検出センサ６をシートベルト２から取り外した場合には、導電片３４が接点ａ，ｂから外れ、スイッチＳがオフとなり、ケース脱着検出回路３６がケースの取り去り状態を検出する。これにより、ケース脱着検出回路３６からケース取り外し検出信号が発光体制御回路３８に出力され、発光体制御回路３８により、薄膜発光体１０が点滅し、アルコール検出センサ６がシートベルト２から取り外されたことを警告表示する。
【００２８】
電池切れ検出回路３０が電池切れや電池無しを検出すると、この検出信号が発光体制御部１２の電池切れ信号受信回路４０に供給される。発光体制御回路３８は、電池切れ信号受信回路４０から電池切れ信号を受信すると、薄膜発光体１０を点滅させ、電池切れを警告表示する。
【００２９】
本発明の実施に際しては、図５に示すように、アルコール検出センサ６のケースにベルトスライド案内孔４６を設け、該案内孔４６をシートベルト２にスライド自在に挿入して、アルコール検出センサ６をシートベルト２にスライド自在に装着することができる。この場合には、図６に示すように、電池切れ検出回路３０と電池切れ信号受信回路４０とを小型アンテナ２４，４４で無線で接続し、アルコール検出センサ回路部２０とセンサ信号受信回路４２とを小型アンテナ２５，４５で無線で接続する。他の構成は、図３に示す構成と同一であり、同一部分は同一の符号を付して対応関係を示している。
【図面の簡単な説明】
【００３０】
【図１】本発明に係るアルコール検知機能付きの乗り物用シートベルトの一部の外観説明図である。
【図２】シートベルトの側面説明図である。
【図３】本発明の機能ブロック説明図である。
【図４】本発明の説明図である。
【図５】本発明の他の実施形態を示す断面説明図である。
【図６】本発明の他の実施形態を示す機能ブロック説明図である。
【符号の説明】
【００３１】
２    シートベルト
４    車両
６    アルコール検出センサ
８    シートベルト本体
１０  薄膜発光体
１２  発光体制御部
１４  蛍光膜層
１６  太陽電池
１８  カバー
２０  アルコール検出センサ回路部
２２  検知口
２４  小型アンテナ
２５  小型アンテナ
２６  電池
２８  電池収納部
３０  電池切れ検出回路
３１  端子
３２  太陽電池
３３  端子
３４  導電片
３６  ケース脱着検出回路
３７  端子
３８  発光体制御回路
４０  電池切れ信号受信回路
４２  センサ信号受信回路
４４  アンテナ
４５  アンテナ
【図１】
2008080985.tif 000003
【図２】
2008080985.tif 000004
【図３】
2008080985.tif 000005
【図４】
2008080985.tif 000006
【図５】
2008080985.tif 000007
【図６】
2008080985.tif 000008